(57)【特許請求の範囲】
【請求項１】
タイヤ構成部材となる未加硫のゴム材料を、回転支持体の周りに張り付けるに当り、回転支持体の放射方向外側部分の表面に当接しもしくは近接する位置に配置されたローラとこれに対向するローラとよりなる一対のローラを互いに逆方向に回転駆動し、上記一対のローラ相互間に設けた隙間をローラダイとして、隙間を超えるゲージをもつゴム材料をローラダイに供給し、ローラダイを経たゴム材料を回転支持体に張り付けることを特徴とするタイヤ構成部材用ゴム材料の張付方法。
【請求項２】
ローラダイの隙間を調整自在とし、この隙間調整により、ローラダイを経るゴム材料の断面形状を調整する請求項１に記載した張付方法。
【請求項３】
回転支持体の放射方向外側部分の表面近傍と反対側のローラダイ近傍に、定容積押出機のゴム材料押出口を位置させ、定容積押出機からローラダイにゴム材料を供給する請求項１又は２に記載した張付方法。
【請求項４】
回転する回転支持体の放射方向外側部分の一方側から他方側に向け、一対のローラを上記外側部分の周りに移動させる請求項１〜３のいずれか一項に記載した張付方法。
【請求項５】
ローラダイを経たゴム材料を、一対のローラのいずれか一方のローラにより回転支持体の放射方向外側部分の表面に案内する請求項１〜４のいずれか一項に記載した張付方法。
【請求項６】
ゴム材料を回転支持体に張り付ける間にわたり、回転支持体の放射方向外側部分の表面周速度と、上記一方のローラ外周表面周速度とを、ほぼ同等とする請求項１〜５のいずれか一項に記載した張付方法。
【請求項７】
ゴム材料の始端部を回転支持体に張り付ける際の回転支持体の放射方向外側部分の表面周速度を、上記一方のローラの外周表面周速度の１．０１〜１．０５倍とする請求項６に記載した張付方法。
【請求項８】
ゴム材料を回転支持体に張り付ける間にわたり、回転支持体の放射方向外側部分の表面周速度とローラダイの外周表面周速度とを、定容積押出機からのゴム材料押出速度より高速とする請求項３〜７のいずれか一項に記載した張付方法。
【請求項９】
定容積押出機に歯車ポンプを用いる請求項３又は８に記載した張付方法。
【請求項１０】
タイヤ構成部材となる未加硫ゴム材料を回転支持体の周りに張り付ける張付装置において、張付装置は、回転支持体に対し未加硫ゴム材料を供給する定容積押出機と、回転支持体の放射方向外側部分に当接しもしくは近接する位置に配置されたローラおよびこれに対向するローラよりなる、互いに逆方向に回転駆動する一対のローラとを有し、一対のローラは、それら相互間に、張り付けるゴム材料に対しダイとして機能する隙間を有することを特徴とするタイヤ構成部材用ゴム材料張付装置。
【請求項１１】
一対のローラは、ダイの隙間を調整する隙間調整機構を備える請求項１０に記載した張付装置。
【請求項１２】
定容積押出機は歯車ポンプである請求項１０に記載した張付装置。
【請求項１３】
張付装置は、定容積押出機と一対のローラとを固定支持する旋回テーブルを有し、該旋回テーブルは、回転支持体の放射方向外側部分の表面に対し、一対のローラと定容積押出機との相対位置を変える旋回駆動手段を備える請求項１０〜１２のいずれか一項に記載した張付装置。
【請求項１４】
定容積押出機は、そのゴム材料入口側に連結するスクリュウ押出機を備え、旋回テーブルはスクリュウ押出機を介し定容積押出機を固定支持して成る請求項１０〜１３のいずれか一項に記載した張付装置。
【請求項１５】
旋回テーブルは下方に水平移動テーブルを備え、水平移動テーブルは、回転支持体の回転軸線に平行移動自在な機構と、該回転軸線に直交移動自在な機構とを有する請求項１３又は１４に記載した張付装置。
【発明の詳細な説明】
【０００１】
【発明の属する技術分野】
この発明は、タイヤ構成部材となる未加硫のゴム材料を、回転する回転支持体の周りに張り付ける方法及びこの方法を実現する装置とに関し、特に、高精度かつ高能率なタイヤ構成部材用ゴム材料の張付方法及び張付装置に関する。
【０００２】
【従来の技術】
空気入りタイヤ（以下タイヤという）は、ゴム被覆コードなどの補強部材と、各種のゴム部材とからできている。従って、タイヤ加硫前に、成型工程にて、未加硫ゴム材料や未加硫ゴム被覆コード材料などの補強材料を張合わせた未加硫タイヤを準備する。
【０００３】
ところが、今日では、タイヤに対する要求特性が益々高度化し、かつ、益々多様化する傾向を示し、この傾向に合わせタイヤ構成部材も益々多様化している。従って、成型工程も益々複雑にならざるを得ない。その結果、成型工程の完全自動化が困難となり、依然として人手作業を必要としているのが現状である。しかし、人手作業を加えると、成型効率の大幅向上はさせ、また、各種材料の張付精度を損ねる。特に、張付精度の良否はタイヤ品質を左右するため、成型効率向上と共に精度向上が強く望まれている。
【０００４】
そこで、これら要望に応えるため、特公平７−９４１５５号公報では、回転する支持体上にゴム材料を配置する位置近傍に定容押出機の出口オリフィスを位置させ、定容押出機から出口オリフィスを介し支持体上にゴム材料を直接押出す方法及び装置を提案している。
【０００５】
【発明が解決しようとする課題】
しかし、上記公報が提案する方法及び装置では、押出機の宿命とも言えるサージング、いわゆる押出量変動により、特に押出ゴム材料が薄ゲージの場合、張付けの間の長尺な押出ゴム材料の断面形状を高精度に保持することが困難である。また、回転支持体上に張付けるゴム材料は多種に及ぶことから下記の問題も合わせ生じる。
【０００６】
すなわち、ゴム材料の種類により粘弾性特性が異なるためダイスエル量が異なるということである。そのため、張付けるゴム材料の断面形状をコントロールする手段を講じる必要が生じる。このコントロール手段は、例えばダイを交換するか、さもなければ何らかの方法によりダイ形状を変更することである。いずれにしても異なるダイスエル量対応には時間を要し、張付生産性が低下するという問題が生じる。
【０００７】
従って、この発明の請求項１〜９に記載した発明は、タイヤ構成部材となる各種の未加硫のゴム材料を、高精度で、かつ高能率で回転支持体に張付けることができるタイヤ構成部材用ゴム材料の張付方法の提供を目的とし、この発明の請求項１０〜１５に記載した発明は、上記の請求項１〜９に記載した発明を有利に実現できる張付装置の提供を目的とする。
【０００８】
【課題を解決するための手段】
上記目的のうち、まず、張付方法を達成するため、この発明の請求項１に記載した発明は、タイヤ構成部材となる未加硫のゴム材料を、回転支持体の周りに張り付けるに当り、回転支持体の放射方向外側部分の表面当接しもしくは近接する位置に配置されたローラとこれに対向するローラとよりなる一対のローラを互いに逆方向に回転駆動し、上記一対のローラ相互間に設けた隙間をローラダイとして、隙間を超えるゲージをもつゴム材料をローラダイに供給し、ローラダイを経たゴム材料を回転支持体に張り付けることを特徴とするタイヤ構成部材用ゴム材料の張付方法である。
【０００９】
ここに、回転支持体とは、回転駆動源をもつ軸に着脱自在に取付けた金属製コア及びタイヤ構成部材となるゴム材料やゴム被覆補強コード材料の一部を金属製コアの放射方向外側部分に張付けた、コアと材料との複合体のいずれかを指す。
【００１０】
請求項１に記載した発明を実施するに際し、実際上、請求項２に記載した発明のように、ローラダイの隙間を調整自在とし、この隙間調整により、ローラダイを経るゴム材料の断面形状を調整する。
【００１１】
また、請求項１、２に記載した発明に関し、好適には、請求項３に記載した発明のように、回転支持体の放射方向外側部分の表面近傍と反対側のローラダイ近傍に、定容積押出機のゴム材料押出口を位置させ、定容積押出機からローラダイにゴム材料を供給する。但し、定容積押出機を用いない他の方法として、熱入れロール乃至カレンダーロールなどにより高温度のゴムストリップを直接ローラダイに供給してもよい。
【００１２】
また、請求項１〜３に記載した発明を実施するに当り、実際上、請求項４に記載した発明のように、回転する回転支持体の放射方向外側部分の一方側から他方側に向け、一対のローラを上記外側部分の周りに移動させる。これによりゴム部材を回転支持体の放射方向外側部分上にトロイド状に形成する。
【００１３】
また、請求項１〜４に記載した発明を実施するに当り、好適には、請求項５に記載した発明のように、ローラダイを経たゴム材料を、一対のローラのいずれか一方のローラにより回転支持体の放射方向外側部分の表面に案内する。
【００１４】
また、張付けゴム材料の精度を確保する上で、請求項６に記載した発明のように、ゴム材料を回転支持体に張り付ける間にわたり、回転支持体の放射方向外側部分の表面周速度と、上記一方のローラ外周表面周速度とを、ほぼ同等とするのが適合する。
【００１５】
また、ゴム材料先端部を回転支持体に確実に粘着するため、請求項７に記載した発明のように、ゴム材料の始端部を回転支持体に張り付ける際の回転支持体の放射方向外側部分の表面周速度を、上記一方のローラの外周表面周速度の１．０１〜１．０５倍とする。
【００１６】
また、定容積押出機を用いる場合は、請求項８に記載した発明のように、ゴム材料を回転支持体に張り付ける間にわたり、回転支持体の放射方向外側部分の表面周速度とローラダイの外周表面周速度とを、定容積押出機からのゴム材料押出速度より高速とする。
【００１７】
また、定容積押出機を用いる場合は、請求項９に記載した発明のように、定容積押出機に歯車ポンプを用いる。これにより不利なサージング現象を実用上解消することができる。
【００１８】
次に、前記目的のうち、張付装置を達成するため、この発明の請求項１０に記載した発明は、タイヤ構成部材となる未加硫ゴム材料を回転支持体の周りに張り付ける張付装置において、張付装置は、回転支持体に対し未加硫ゴム材料を供給する定容積押出機と、回転支持体の放射方向外側部分に当接しもしくは近接する位置に配置されたローラおよびこれに対向するローラよりなる、互いに逆方向に回転駆動する一対のローラとを有し、一対のローラは、それら相互間に、張り付けるゴム材料に対しダイとして機能する隙間を有することを特徴とするタイヤ構成部材用ゴム材料張付装置である。
【００１９】
請求項１０に記載した発明に関し、請求項１１に記載した発明のように、一対のローラは、ダイの隙間を調整する隙間調整機構を備えるものとする。
【００２０】
また、請求項１０に記載した発明に関し、請求項１２に記載した発明のように、定容積押出機は歯車ポンプであるのが有利に適合する。
【００２１】
また、請求項１０〜１２に記載した発明に関し、請求項１３に記載した発明のように、張付装置は、定容積押出機と一対のローラとを固定支持する旋回テーブルを有し、該旋回テーブルは、回転支持体の放射方向外側部分の表面に対し、一対のローラと定容積押出機との相対位置を変える旋回駆動手段を備える。
【００２２】
また、請求項１０〜１３に記載した張付装置に関し、請求項１４に記載した発明のように、定容積押出機は、そのゴム材料入口側に連結するスクリュウ押出機を備え、旋回テーブルはスクリュウ押出機を介し定容積押出機を固定支持して成る。
【００２３】
また、請求項１０〜１４に記載した張付装置に関し、請求項１５に記載した発明のように、旋回テーブルは下方に水平移動テーブルを備え、水平移動テーブルは、回転支持体の回転軸線に平行移動自在な機構と、該回転軸線に直交移動自在な機構とを有する。請求項１４と請求項１５とに記載した２種類のテーブルにより、一対のローラは、断面外輪郭がトロイド状をなす回転支持体外周に沿う自動運動が可能となる。
【００２４】
【発明の実施の形態】
以下、この発明の実施の形態を図１〜図６に基づき説明する。
図１は、回転支持体とゴム材料張付装置との側面図であり、
図２は、回転支持体の正面図とゴム材料張付装置の背面図であり、
図３は、一対のローラとその回転駆動部分との拡大側面図であり、
図４は、図３に示すローラ回転駆動部分の拡大背面図であり、
図５は、定容積押出機とスクリュウ押出機との背面図であり、
図６は、定容積押出機とスクリュウ押出機との一部断面を含む側面図である。
【００２５】
まず、ゴム材料張付装置について説明する。
すなわち、図１〜図３において、回転支持体１は、その放射方向外側部分のコア１ａそれ自体の場合と、コア１ａの周りにタイヤ構成部材となる未加硫ゴム材料（以下ゴム材料という）及び未加硫ゴム被覆コード材料を張り付けた状態の場合との双方を指す。但し、このゴム材料張付装置は、ゴム材料を張り付ける場合に限定する。図１〜３ではゴム材料を張り付ける前のコア１ａのみを示す。
【００２６】
回転支持体１は、図示を省略した回転駆動手段に連結する回転軸２により支持し、正逆いずれの方向にも回転する。図示例の回転方向Ｒ1 は反時計周りである。ゴム材料は、回転支持体１のコア１ａ（図２参照）のさらに放射方向外側部分に張り付ける。このゴム材料張付部分は、表面がトロイド形状を有する。以下、ゴム材料張付部分をトロイド状部分１ａと書き表す。なお、コア１ａは、中心軸線Ｘをもつ回転軸２に着脱自在であり、かつ、組立分解自在な構造を有する。
【００２７】
張付装置１０は、ゴム材料張り付け時において、回転支持体１のトロイド状部分１ａの表面近傍に位置する一対のローラ１１、１２を有する。図示例の上下ローラ１１、１２それぞれの少なくとも表面側部分は、非粘着性を示す、梨地仕上などの凹凸面の金属製、非粘着性ゴム被覆金属製、粘着性を示す鏡面仕上表面の金属製のいずれかとする。少なくとも上方ローラ１１は、トロイド状部分１ａの表面に近接して位置する。ローラ１１、１２はそれぞれブラケット１３に回転可能に軸支する。また、ローラ１１、１２はそれぞれ独立の回転駆動手段を備える。この回転駆動手段の構成は特に問わない。
【００２８】
以下、図１〜図６を参照し、図示例の回転駆動手段は、１基のモータ１４と、その軸先端部の２個のスプロケット１５、１６と、ローラ１１、１２に固着した２個のスプロケット１７、１８と、ローラチェーン又はサイレントチェーン１９、２０とを有する。スプロケット１５、１６の回転方向を逆方向とし、ローラ１１、１２の回転方向を互いに逆方向とする。図示例では、上方ローラ１１の回転方向Ｒ11は時計周りであり、下方ローラ１２の回転方向Ｒ12が反時計周りである。
【００２９】
ローラ１１、１２は、それらの回転中心軸線１１ｃ、１２ｃそれぞれに直交する線分上に隙間ＤR を有する。隙間ＤR は後述するローラダイとして機能させる。隙間ＤR は、ローラ１１、１２の幅方向に所定の一定寸法を有し、実際上、０、３〜１、２ｍｍの範囲内で自動調整可能（装置の図示省略）とする。
【００３０】
そのため、好適には、上方のローラ１１をブラケット１３に設けた案内２１に沿って上下に移動自在とする。下方のローラ１２はブラケット１３に対し固定位置をとる。移動ローラを下方ローラ１２としても良い。なお、中心軸線１１ｃ、１２ｃに直交する線分は、図示例のように傾斜させるのが良い。図１、３で見て、傾斜方向は左右のいずれでも良い。図示例は左傾斜である。
【００３１】
ローラダイＤR は、回転支持体１に張り付ける直前のゴム材料の所定幅、例えば１０〜２０ｍｍの範囲内の幅を有する。また、ローラ１１、１２の幅はローラダイＤR と同じ幅とし、ローラ１１、１２の各幅中央を合致させる。所定幅及び所定ゲージに調整した高温度状態の長尺リボン状ゴム材料をローラダイＤR に供給する。
【００３２】
この長尺リボン状ゴム材料供給は、定容積押出機２５から押出ヘッド２６のダイ２７を介して行う。ダイ２７の開口部は、回転支持体１のトロイド状部分１ａの表面近傍と反対側のローラダイＤR 近傍に位置させる。ダイ２７は、それを経て押出す厚肉の長尺リボン状ゴム材料が、ローラダイＤR の隙間高さより高い断面形状となる開口部形状を有することを要する。なお、この断面形状を有する厚肉リボン状ゴム材料は、別のカレンダーロールからローラダイＤR に直接供給することもできる。
【００３３】
定容積押出機２５は、どの形式を採用しても可とするが、ここでは歯車ポンプが有利に適合する。図２及び図４に示す歯車ポンプ２５は外接形であり、歯車ポンプ２５の下方をゴム材料の入口、上方をゴム材料の出口とする。２個の歯車２８−１、２８−２の一方の歯車２８−１をモータ２９で回転駆動する。代案として内接形歯車ポンプを用いても良い。
【００３４】
図３に、歯車ポンプ２５の出口から押出ヘッド２６を経てダイ２７の開口部に至るゴム材料の流路３０を破線で示す。流路３０は押出ヘッド２６位置にて垂直方向から水平方向に折れ曲がる。押出ヘッド２６とダイ２７とは、流路３０の形成部材３１に対し着脱自在に取付ける。
【００３５】
歯車ポンプ２５の入口側に通常のスクリュウ押出機３５の押出口側を連結する。押出機３５のスクリュウ３６はモータ３７により回転駆動する。ゴム材料供給口３８から供給したゴム材料は、スクリュウ押出機３５により練り上げられた後、流動性を高めた高温度ゴム材料として歯車ポンプ２５に送る。代案として、スクリュウ押出機３５を省略し、別途の設備から高温の棒状ゴム材料を歯車ポンプ２５に直接供給することもできる。
【００３６】
歯車ポンプ２５は、スクリュウ押出機３５との連携動作においてはサージング（押出量変動）現象を大幅に改善し、また、別途の設備からから棒状ゴム材料を供給する場合は、棒状ゴム材料の長手方向の断面積変動を一様化する役を果たす。いずれの場合も、歯車ポンプ２５は、押出し長手方向に高精度の断面形状をもつゴム材料をローラダイＤR に供給することができる。
【００３７】
以降は、図１〜３を参照し、歯車ポンプ２５を取付けるブラケット１３と、歯車ポンプ２５の押出ヘッド２６を取付ける流路３０形成部材３１の上端部とは、同じプレート４０に固着する。プレート４０を介して一対のローラ１１、１２とダイ２７とは合体化する。そして、スクリュウ押出機３５は旋回テーブル４１に固着する。よって、一対のローラ１１、１２及び歯車ポンプ２５、押出ヘッド２６、ダイ２７は、スクリュウ押出機３５を介して旋回テーブル４１上に固定支持する。
【００３８】
旋回テーブル４１は旋回駆動手段を備える。旋回駆動手段は、モータ４２と、交差軸歯車（図示省略）又は食違い軸歯車（図示省略）と、一方の歯車に固定した旋回軸４３と、歯車を収容するハウジング上方に位置して旋回軸４３を軸支する軸受４４とを有する。交差軸歯車には、かさ歯車又は交差軸フェースギヤなどが適合し、食違い軸歯車にはウォームギヤ又はハイポイドギヤなどのタイプが適合する。
【００３９】
いずれのタイプであっても、モータ４２の水平回転軸線に対し垂直な軸線をもつ旋回軸４３を旋回させるギヤであれば良い。例えばウォームギヤを用い、モータ４２の回転軸にウォームを連結し、旋回軸４３にウォームホイールを固定する。旋回軸４３の上端は旋回テーブル４１に固着する。
【００４０】
旋回テーブル４１は下方に水平移動テーブル４５を備える。水平移動テーブル４５は、第一の基台４６と摺動係合し、回転支持体１の中心軸線Ｘと平行な方向に移動自在である。また、第一の基台４６は、床面ＦＬに固定した第二の基台４７と摺動係合し、回転支持体１の中心軸線Ｘと直交するＹ方向に移動自在である。
【００４１】
上記したように、水平移動テーブル４５は、第一の基台４６との間で回転支持体１の中心軸線Ｘに関し平行移動自在な機構を有する。また、水平移動テーブル４５は、第一の基台４６を介して、第二の基台４７との間で回転支持体１の中心軸線Ｘに関し直交移動自在な機構を有する。旋回テーブル４１も、旋回軸４３を介し、上記２方向移動を合わせ行う。
【００４２】
また、図示を省略したが、張付装置１０は、各駆動部分の自動制御機構を備え、ゴム材料の張付作業は全て自動で行う。このゴム材料張付装置１０は、特殊な部品をもたず、構成も簡単であり、よって、安価に仕上がり、しかも信頼性に富み、高精度を発揮する。
【００４３】
次に、張付装置の説明との重複を避け、以下、ゴム材料の張付方法を説明する。
回転支持体１を張付装置１０のローラ１１、１２近傍にセットする。このとき、より大きな直径をもつ上方ローラ１１をトロイド状部分１ａの表面に近接させる。その後、回転支持体１を回転させ、合わせて一対のローラ１１、１２、歯車ポンプ２５及びスクリュウ押出機３５それぞれを起動させる。
【００４４】
ゴム材料供給口３８から連続乃至断続して供給するゴム材料をスクリュウ押出機３５で練り上げ、練り上げたゴム材料を歯車ポンプ２５に供給する。歯車ポンプ２５から押出すゴム材料は、流路３０を流動し、押出ヘッド２６を経てダイ２７から比較的厚肉のリボン状ゴム材料として押出す。押出したリボン状ゴム材料を、ダイ２７開口部近傍に位置するローラダイＤR に供給する。
【００４５】
ダイ２７開口部からのリボン状ゴム材料供給位置は、トロイド状部分１ａの表面近傍とは反対側のローラダイＤR 近傍とする。このとき、ローラダイＤR に供給するリボン状ゴム材料は、ローラダイＤR の隙間ＤR を超えるゲージを有するものとする。そしてローラダイＤR により所定断面形状に引き伸ばし調整した比較的薄肉のリボン状ゴム材料を回転するトロイド状部分１ａ上に張り付ける。
【００４６】
ローラダイＤR を通過した長尺リボン状ゴム材料は、従来のダイスエル現象の発現がなく、その結果、粘弾性特性の変化による影響は皆無となる。ゴム材料が変わっても、また、粘弾性特性が変化しても、ローラダイＤR を経た長尺リボン状ゴム材料は、隙間ＤR と同じゲージを保持し続ける。従って、張付作業は著しく高能率である。
【００４７】
また、張り付ける長尺リボン状ゴム材料の長手方向及び幅方向に沿うゲージ分布は常に均一で高精度である。理由その一は、ローラ１１、１２を互いに逆方向Ｒ11、Ｒ12に回転駆動するからである。理由その二は、ローラ１１、１２をトロイド状部分１ａ近傍に位置させるので、ローラダイＤR と張付位置との距離を短くすることができ、その結果、リボン状ゴム材料の形状変化が生じないからである。さらに、ローラダイＤR の適用により、高精度ゲージを保持した上で、張付ゴム材料を、極く薄ゲージも含め、所望の断面形状にコントロール自在である。これらのことは、タイヤの品質向上に寄与する。
【００４８】
このとき、トロイド状部分１ａの外周表面速度Ｖ1 （ｍ／分）、上方ローラ１１の外周表面速度Ｖ2 （ｍ／分）、下方ローラ１２の外周表面速度Ｖ3 （ｍ／分）、ダイ２７からの押出速度Ｖ4 （ｍ／分）としたとき、各速度間で下記（１）〜（３）に記載するの関係をもたせるものとする。
（１）Ｖ1 ＝Ｖ2 ＞Ｖ4 及びＶ3 ＞Ｖ4 を基本とする。
【００４９】
（２）後述の状態を除き、Ｖ2 ＝Ｖ3 とする。しかし、下方ローラ１２の表面が粘着性で、かつ、ローラダイＤR を経たリボン状ゴム材料の始端部を非粘着性のコア１ａに張り付ける当初に限り、Ｖ2 ＞Ｖ3 とするのが適合する。
【００５０】
（３）ローラダイＤR を経たリボン状ゴム材料の始端部を非粘着性のトロイド状部分１ａに張り付ける当初に限り、
Ｖ1 ＝（１．０１〜１．０５）×Ｖ2 とし、速度Ｖ1 を速度Ｖ2 の１〜５％増しとする。これで、トロイド状部分１ａ表面に確実かつ円滑にリボン状ゴム材料を張り付けることができる。但し、トロイド状部分１ａ表面が粘着性を有するとき、及び先にトロイド状部分１ａに張り付けた粘着性材料（ゴム被覆コード材料を含む）を有するときはＶ1 ＝Ｖ2 とする。以上を総合して、速度Ｖ1 と速度Ｖ2 とは、ほぼ同等とする。
【００５１】
上記の（１）Ｖ1 ＝Ｖ2 ＞Ｖ4 及びＶ3 ＞Ｖ4 から明らかなように、ローラダイＤR を経たリボン状ゴム材料は、ダイ２７から押出した厚肉リボン状ゴム材料の断面形状（超偏平矩形）と対比して、幅寸法は変わらず、ゲージはＶ4 ／Ｖ2 倍となる。換言すれば、所望ゲージが得られるように、そして、幅寸法が変わらぬように、速度比Ｖ4 ／Ｖ2 を設定するということである。
【００５２】
例えば、一実施例において、速度比Ｖ4 ／Ｖ2 の値を０．５に設定したとき、ダイ２７からの押出時に、幅１５ｍｍ、ゲージ１．０ｍｍの寸法を有している厚肉リボン状ゴム材料は、ローラダイＤR を経た後、幅１５ｍｍ、ゲージ０．５ｍｍとなる。この実施例に見るように、長尺リボン状ゴム材料は幅狭である。
【００５３】
隙間ＤR の自動調整装置（図示省略）を稼働させることにより、図示例では上方ローラ１１を上下させてローラダイＤR の隙間寸法を調整する。これにより、ダイスエルが異なるゴム材料の材質変更と、必要なゲージ変更とに対応する。この対応は、従来の押出機のダイ変更に比し、より短時間内でより容易に済む。
【００５４】
また、自動制御により、旋回テーブル４１を旋回させ、併せて水平移動テーブル４５を軸線Ｘと平行な方向及びＹ方向に移動させる。これらの旋回と水平移動とにより、回転する回転支持体１の放射方向外側部分であるトロイド状部分１ａの一方側１ａＡから他方側１ａＢに向け（図２参照）、一対のローラ１１、１２をトロイド状部分１ａの周りに移動させる。この移動により、複雑な曲面をもち、回転するトロイド状部分１ａ表面上の所定位置に、幅狭の長尺リボン状ゴム材料を順次張り付け、完成したゴム材料集合体とする。
【００５５】
また、リボン状ゴム材料をトロイド状部分１ａに張り付けるに際し、一対のローラ１１、１２のいずれか一方のローラは、トロイド状部分１ａにリボン状ゴム材料を案内する案内ローラの役を兼ねる。図示例では、上方ローラ１１が案内ローラである。このようにすれば、張付精度の向上と装置の簡素化とを同時に達成することができる。
【００５６】
以上述べたゴム材料の張付方法は、回転支持体１を挟む両側に一対の張付装置１０を設け、同時にゴム材料を回転するトロイド状部分１ａ表面上に張り付けることができる。１台の張付装置１０を用いても、従来の張付方法より作業能率を大幅に向上させることができるので、一対の張付装置１０を適用すれば、作業能率を飛躍的に向上させることができる。
【００５７】
【発明の効果】
この発明の請求項１〜９に記載した発明によれば、特に、一対の回転駆動ローラの隙間をローラダイとすることで、押出機によるダイスエル変動とは無関係に、タイヤ構成部材となる各種のゴム材料を、高精度で、かつ顕著な高能率で回転支持体に張付けることができるタイヤ構成部材用ゴム材料の張付方法を提供することができる。
【００５８】
また、この発明の請求項１０〜１５に記載した発明によれば、請求項１〜９に記載した発明の張付方法を有利に実現することができ、かつ、安価で信頼性に富み、高精度を発揮するタイヤ構成部材用ゴム材料の張付装置を提供することができる。
【図面の簡単な説明】
【図１】  この発明のゴム材料張付装置と回転支持体との側面図である。
【図２】  この発明のゴム材料張付装置の背面図と回転支持体の正面図とである。
【図３】  この発明の一対のローラとその回転駆動部分との拡大側面図である。
【図４】  図３に示すローラ回転駆動部分の拡大背面図である。
【図５】  この発明の定容積押出機とスクリュウ押出機との背面図である。
【図６】  この発明の定容積押出機とスクリュウ押出機との側面図である。
【符号の説明】
１  回転支持体
１ａ  トロイド状部分
２  回転軸
１０  張付装置
１１、１２  ローラ
１１ｃ、１２ｃ  中心軸線
１３  ブラケット
１４、２９、３７、４２  モータ
１５、１６  スプロケット
２５  歯車ポンプ
２６  押出ヘッド
２７  ダイ
２８−１、２８−２  歯車
３０  流路
３１  流路形成部材
３５  スクリュウ押出機
３６  スクリュウ
３８  ゴム材料供給口
４０  プレート
４１  旋回テーブル
４３  旋回軸
４４  軸受
４５  水平移動テーブル
４６  第一の基台
４７  第二の基台
ＤR   ローラダイ
Ｘ  回転軸線
Ｙ  回転軸線との直交方向
【図１】
0004420491.tif 000002
【図２】
0004420491.tif 000003
【図３】
0004420491.tif 000004
【図４】
0004420491.tif 000005
【図５】
0004420491.tif 000006
【図６】
0004420491.tif 000007